(57)【要約】【課題】陳列台装置とは別に小型陳列台を用意する必要がなく、狭い場所にも対応することができる陳列台装置を提供する。【解決手段】前部に陳列品保持用凹部が形成され後部の左右に台部１５と陳列台載置用凹部とが形成されたベース本体１と、上記ベース本体１の台部１５に着脱自在に載置される平置き型の第１の陳列台２と、上記ベース本体１の陳列台載置用凹部に着脱自在に載置される立置き型の第２の陳列台３とを備えている。そして、上記ベース本体１の台部１５に第１の陳列台２を載置し陳列台載置用凹部に第２の陳列台３を載置する第１の陳列態様と、上記両陳列台２，３の少なくとも一方をベース本体１から取り外した状態でベース本体１とは別に被載置面に載置する第２の陳列態様とのいずれかの態様を選択しうるように構成している。【選択図】図１
2004194781.tif 000002
【特許請求の範囲】
【請求項１】
前部に陳列品保持用凹部が形成され後部の左右に陳列台載置用凸部と陳列台載置用凹部とが形成されたベース本体と、上記ベース本体の陳列台載置用凸部に着脱自在に載置される平置き型の第１の陳列台と、上記ベース本体の陳列台載置用凹部に着脱自在に載置される立置き型の第２の陳列台とを備え、上記ベース本体の陳列台載置用凸部に第１の陳列台を載置し陳列台載置用凹部に第２の陳列台を載置する第１の陳列態様と、上記両陳列台の少なくとも一方をベース本体から取り外した状態でベース本体とは別に被載置面に載置する第２の陳列態様とのいずれかの態様を選択しうるように構成したことを特徴とする陳列台装置。
【請求項２】
上記第１の陳列台の底面から、上記陳列台載置用凸部の上端部の周側面に着脱自在に嵌合する枠状脚部が突設されている請求項１記載の陳列台装置。
【請求項３】
上記第２の陳列台が、底板と、上記底板上に相対向状に配設され上記底板の上面から垂直に延びる一対の側板と、上記両側板間に垂直姿勢で配設される立板とを備え、上記立板に、陳列品を保持する筒状部が傾斜状に突設されている請求項１または２記載の陳列台装置。
【発明の詳細な説明】
【０００１】
【発明の属する技術分野】
本発明は、化粧料（テスター用化粧料等を含む）を店頭等に陳列するための陳列台装置に関するものである。
【０００２】
【従来の技術】
従来から、口紅等の各種化粧料を店頭等に陳列するための陳列台として、各種の陳列台が用いられている。例えば、季節ごとのプロモーション期間中や新製品の発表期間中等においては、多種類（例えば、リップ用，アイ用，ネイル用等やボトルタイプ，チューブタイプ，固形タイプ，粉状タイプ等）の化粧料を陳列することができる陳列台が用いられている。このような陳列台として、図２３および図２４に示すように、陳列台本体６１の上面に３個の凹部６２を設け、各凹部６２の下側に４枚の化粧皿６３を収容するとともに、上側に可動陳列皿６４をスライド自在に収容し、各可動陳列皿６４を外側にスライドさせることにより、スライド前には各可動陳列皿６４で隠れて見えなかった各化粧皿６３を見えるようにしたものがある（例えば、特許文献１参照）。図２３において、６５はボードで、６６はボトルタイプの化粧料サンプル品で、６７はチューブタイプの化粧料サンプル品で、６８はファンデーション等の化粧料サンプル品である。
【０００３】
【特許文献１】
特開２００１−４６１９６号公報（段落番号〔０００９〕〜〔００１３〕）
【０００４】
【発明が解決しようとする課題】
しかしながら、上記の陳列台では、プロモーション等の期間が終了したのち、例えば、アイ用の化粧料だけを陳列したい場合には、上記の陳列台とは別に、アイ用の化粧料だけを陳列するための小型陳列台を用意しなければならないという問題があり、また、上記の陳列台を利用しようとすると、広いスペースを必要とするため、狭い場所では陳列することができないという問題がある。
【０００５】
本発明は、このような事情に鑑みなされたもので、陳列台装置とは別に小型陳列台を用意する必要がなく、狭い場所にも対応することができる陳列台装置の提供をその目的とする。
【０００６】
【課題を解決するための手段】
上記の目的を達成するため、本発明の陳列台装置は、前部に陳列品保持用凹部が形成され後部の左右に陳列台載置用凸部と陳列台載置用凹部とが形成されたベース本体と、上記ベース本体の陳列台載置用凸部に着脱自在に載置される平置き型の第１の陳列台と、上記ベース本体の陳列台載置用凹部に着脱自在に載置される立置き型の第２の陳列台とを備え、上記ベース本体の陳列台載置用凸部に第１の陳列台を載置し陳列台載置用凹部に第２の陳列台を載置する第１の陳列態様と、上記両陳列台の少なくとも一方をベース本体から取り外した状態でベース本体とは別に被載置面に載置する第２の陳列態様とのいずれかの態様を選択しうるように構成したという構成をとる。
【０００７】
すなわち、本発明の陳列台装置は、前部に陳列品保持用凹部が形成され後部の左右に陳列台載置用凸部と陳列台載置用凹部とが形成されたベース本体と、平置き型の第１の陳列台と、立置き型の第２の陳列台とを備えており、これらを用いて陳列する場合に、上記ベース本体の陳列台載置用凸部に第１の陳列台を載置するとともに陳列台載置用凹部に第２の陳列台を載置する第１の陳列態様と、上記両陳列台の少なくとも一方をベース本体から取り外した状態でベース本体とは別に被載置面に載置する第２の陳列態様とのいずれかの態様を選択できるようにしている。したがって、本発明では、プロモーション期間中等においては、第１の陳列態様により、ベース本体の前部に形成された陳列品保持用凹部に陳列品を陳列し、平置き型の第１の陳列台に、この第１の陳列台に陳列するのに適した陳列品を陳列し、立置き型の第２の陳列台に、この第２の陳列台に陳列するのに適した陳列品を陳列することで、多種類の化粧料を陳列することができる。また、プロモーション等の期間が終了したのちには、第２の陳列態様により、上記ベース本体から上記両陳列台の少なくとも一方を取り外し、上記ベース本体とは別に、所望の被載置面に上記両陳列台の少なくとも一方を載置することで、この載置した陳列台に陳列するのに適した陳列品だけを陳列することもできる。しかも、このときに、本発明の陳列台装置を構成する両陳列台を利用することができ、本発明の陳列台装置とは別に小型陳列台を用意する必要がない。しかも、上記両陳列台を利用する場合には、狭い場所にも対応することができる。
【０００８】
本発明において、上記第１の陳列台の底面から、上記陳列台載置用凸部の上端部の周側面に着脱自在に嵌合する枠状脚部が突設されている場合には、簡単な構造で、第１の陳列台をベース本体の陳列台載置用凸部の上端部に着脱自在に嵌合させて固定することができる。
【０００９】
本発明において、上記第２の陳列台が、底板と、上記底板上に相対向状に配設され上記底板の上面から垂直に延びる一対の側板と、上記両側板間に垂直姿勢で配設される立板とを備え、上記立板に、陳列品を保持する筒状部が傾斜状に突設されている場合には、陳列品として、棒状タイプのものを使用する場合に、好適である。
【００１０】
【発明の実施の形態】
つぎに、本発明の実施の形態を図面にもとづいて詳しく説明する。
【００１１】
図１は本発明の陳列台装置の一実施の形態を示している。図において、１はプラスチック製のベース本体であり、２はプラスチック製の平置き型の陳列台（第１の陳列台）であり、３はプラスチック製の立置き型の陳列台（第２の陳列台）であり、それぞれプラスチック材料により一体成型されている。４は訴求ボードであり、その前面に商品名，宣伝用の文句，写真等が記載されている。
【００１２】
上記ベース本体１は、図２〜図４に示すように、その前部上面１ａが後上がり傾斜面に形成されており、その一側部分（図面では、右側部分）に化粧皿収容凹部１１（陳列品保持用凹部）が形成されている。この化粧皿収容凹部１１には、図１に示すように、アイカラー用化粧料３１ａを収容した６つの化粧皿３１（陳列品）と、頬紅用化粧料３２ａを収容した２つの化粧皿３２（陳列品）と、基礎カラー用化粧料３３ａを収容した１つの化粧皿３３（陳列品）とが収容，保持されている。また、上記化粧皿収容凹部１１には、その底面の前端部に、化粧皿収容凹部１１の前縁に沿って一直線状に延びる前側凹部１２が形成されている。また、上記ベース本体１の前部上面１ａの他側部分（図面では、左側部分）には、５つのボトル載置用凹部１３（陳列品保持用凹部）が形成されており、これら各ボトル載置用凹部１３に、ネイルカラー用化粧料（図示せず）を収容したボトル３４（陳列品）が載置されている（図１参照）。図３において、１４は上記ベース本体１の前部上面１ａの左端部分に形成された凹部であり、筆（図示せず）等が収容されている。
【００１３】
また、上記ベース本体１の後部上面１ｂの右側部分は、前部上面１ａと同じ後上がり傾斜面に形成されており、上記化粧皿収容凹部１１の後側から、有天筒状に形成された台部（陳列台載置用凸部）１５が突設されている。この台部１５の上面は水平面に形成されているとともに、この上面の外周縁部１５ａを残した状態で上記上面から垂直方向に、上記平置き型の陳列台２の枠状脚部３０に着脱自在に内嵌しうる有天筒状の係合用凸部１６が形成されている。図３において、１６ａは上記係合用凸部１６の天井板１６ｂに穿設されたねじ挿通孔である。
【００１４】
また、上記ベース本体１の後部上面１ｂの右側部分には、その後壁面１ｃに段部１８が形成されており、この段部１８より上側の、上記後壁面１ｃの部分に、上記訴求ボード４を貼り付けるための３本の突条１９が上下方向に突設されている。また、上記後壁面１ｃの左右両側からコ字状の枠体２０が、上記段部１８のコ字状の外周縁部に沿うようにして、かつ、この外周縁部から立設する状態で、突設されている。
【００１５】
また、上記ベース本体１の後部上面１ｂの左側部分には、後側凹部２１（陳列台載置用凹部）が形成されており、この後側凹部２１に上記立置き型の陳列台３が載置，固定されている。また、上記後側凹部２１には、その前壁に、上記陳列台３の立板４４の各係合用凸部４７に着脱自在に係合する左右一対の係合孔２１ｄ（図１９参照。この図１９では、一方の係合孔２１ｄは図示せず）が形成されており、その底面は、上記段部１８の上面と同じ高さに形成されている。図３において、２１ａは上記後側凹部２１の底板２１ｂに穿設されたねじ挿通孔で、２２は上記ベース本体１の前部上面１ａの左側部分の上端面から延びる後下がり傾斜面である。また、２３は上記ベース本体１の後端面１ｄ（上記段部１８より下側の、上記後壁面１ｃの部分と、上記後側凹部２１の後壁面２１ｃとからなる。図１９参照）の下端部から水平に延びる突条であり、この突条２３に、後述する底敷き板５の突片５ａを挿通する挿通孔２３ａが穿設されている（図２０参照）。なお、この実施の形態では、上記後側凹部２１の左側面および後側面は外部に開放されているが、開放されていなくてもよい。
【００１６】
上記平置き型の陳列台２は、図５に示すように、陳列台本体２５と、ＰＯＰカバー２６とを備えている。上記陳列台本体２５は、図６〜図９に示すように、その上面２５ａが後上がり傾斜面に形成されており、その右側部分には、３つの化粧皿収容体３６（図１０参照）を収容した右側化粧皿収容凹部２７が形成されており、その左側部分には、２つの化粧皿収容体３７（図１０参照）を収容した左側化粧皿収容凹部２８が形成されており、この左側化粧皿収容凹部２８の後側には、口紅用テスター３８（図５参照）を保持する２つの後側凹部２９が形成されている。また、上記両化粧皿収容体３６，３７は、同構造であり、図１１に示すように、その内部には、４種類のアイカラー用化粧料３６ａ，３７ａを収容した化粧皿３６ｂ，３７ｂが収容されている。図１１において、３６ｃ，３７ｃは上記化粧皿収容体３６，３７に形成した指差し入れ用凹部である。
【００１７】
また、上記陳列台本体２５には、その水平面に形成された底面から、上記ベース本体１の台部１５の係合用凸部１６に着脱自在に外嵌する枠状脚部３０が突設されている。図７において、２７ａ，２８ａは上記各化粧皿収容凹部２７，２８の底面に形成された凹部であり、これら各凹部２７ａ，２８ａの底壁にねじ挿通孔２７ｂ，２８ｂが穿設されている。２９ａは上記後側凹部２９の底壁に穿設された貫通孔である。
【００１８】
また、上記陳列台本体２５の上面２５ａの、右側化粧皿収容凹部２７の後側には、半円弧状に形成された左右一対の係合具２５ｂが突設されており、両係合具２５ｂにＰＯＰカバー２６が回動自在で、かつ着脱自在に取り付けられている。このＰＯＰカバー２６は、プラスチック製であり、図１２に示すように、上記右側化粧皿収容凹部２７を覆う本体部２６ａと、この本体部２６ａの後端部から突設され上記陳列台２の両係合具２５ｂに回動自在で、かつ着脱自在に挿入，係合される左右一対の係合凸部２６ｂと、上記本体部２６ａの一側から突設される摘まみ部２６ｃとを備えており、上記本体部２６ａの上面にＰＯＰ（例えば、図１２の枠２６ｄ内に示す文言，絵等。図１および図５では、図示せず）が記載されている。
【００１９】
上記立置き型の陳列台３は、図１３〜図１６に示すように、水平に設けられた底板４１と、この底板４１上に相対向状に配設され上記底板４１の左右両側縁部の上面から垂直に延びる一対の側板４２と、これら両側板４２の上端部に架設される天井板４３と、上記底板４１，両側板４２および天井板４３の各前端部に垂直姿勢で固定される立板４４とを備えており、この立板４４に多数の開口部４４ａ，４４ｂが穿設されている。そして、これら各開口部４４ａ，４４ｂから後下がり傾斜状に口紅テスター３９，カラーライナー４０（図１参照）を収容する筒状部４５，４６が形成されている。図において、４１ａは上記底板４１に形成された左右一対のねじ挿通用切り欠き部であり、４７は上記立板４４の下端部から前側に突設された左右一対の係合用凸部であり、上記ベース本体１の後側凹部２１の各係合孔２１ｄに着脱自在に係合している。
【００２０】
上記の構成において、上記ベース本体１、両陳列台２，３等を組み立てる場合には、まず、図１７に示すように、上記ベース本体１の台部１５の係合用凸部１６に陳列台２の枠状脚部３０を外嵌し、プラスチックねじ５１で固定する。ついで、図１８に示すように、上記陳列台２の両係合具２５ｂにＰＯＰカバー２６の両係合具２６ｂを取り付ける。つぎに、図１９に示すように、上記ベース本体１の後側凹部２１に陳列台３を載置し、蝶ねじ５２で固定する。つぎに、図２０に示すように、上記ベース本体１の突条２３の挿通孔２３ａに底敷き板５の突片５ａ（図２１参照）を挿通して取り付け、上記ベース本体１の左右両側にゴム製脚５３を取り付ける。そののち、上記ベース本体１の各突条１９に訴求ボード４を接着剤（図示せず）で貼り付ける（図２２参照）。これにより、第１の陳列態様にすることができる。一方、上記両陳列台２，３のいずれか一方もしくは双方をベース本体１から取り外し、他の陳列スペースに設けた水平な被載置面（図示せず）に載置にする第２の陳列態様にすることもできる。
【００２１】
上記のように、この実施の形態では、上記ベース本体１に両陳列台２，３を取り付けて陳列する第１の陳列態様と、上記両陳列台２，３のいずれか一方もしくは双方をベース本体１から取り外して他の陳列スペースで陳列する第２の陳列態様のいずれかを選択することができる。そして、第２の陳列態様で陳列する場合には、広いスペースを必要としないうえ、第１の陳列態様で使用する陳列台２，３を使用することができる。
【００２２】
なお、上記実施の形態では、上記ベース本体１の台部１５の係合用凸部１６に陳列台２の枠状脚部３０を外嵌しているが、上記台部１５に枠状脚部３０を内嵌する構造にしてもよい。
【００２３】
【発明の効果】
以上のように、本発明の陳列台装置によれば、プロモーション期間中等においては、第１の陳列態様により、ベース本体の前部に形成された陳列品保持用凹部に陳列品を陳列し、平置き型の第１の陳列台に、この第１の陳列台に陳列するのに適した陳列品を陳列し、立置き型の第２の陳列台に、この第２の陳列台に陳列するのに適した陳列品を陳列することで、多種類の化粧料を陳列することができる。しかも、プロモーション等の期間が終了したのちには、第２の陳列態様により、上記ベース本体から上記両陳列台の少なくとも一方を取り外し、上記ベース本体とは別に、所望の被載置面に上記両陳列台の少なくとも一方を載置することで、この載置した陳列台に陳列するのに適した陳列品だけを陳列することもできる。しかも、このときに、本発明の陳列台装置を構成する両陳列台を利用することができ、本発明の陳列台装置とは別に小型陳列台を用意する必要がない。しかも、上記両陳列台を利用する場合には、狭い場所にも対応することができる。
【００２４】
本発明において、上記第１の陳列台の底面から、上記陳列台載置用凸部の上端部の周側面に着脱自在に嵌合する枠状脚部が突設されている場合には、簡単な構造で、第１の陳列台をベース本体の陳列台載置用凸部の上端部に着脱自在に嵌合させて固定することができる。
【００２５】
本発明において、上記第２の陳列台が、底板と、上記底板上に相対向状に配設され上記底板の上面から垂直に延びる一対の側板と、上記両側板間に垂直姿勢で配設される立板とを備え、上記立板に、陳列品を保持する筒状部が傾斜状に突設されている場合には、陳列品として、棒状タイプのものを使用する場合に、好適である。
【図面の簡単な説明】
【図１】本発明の陳列台装置の一実施の形態を示す斜視図である。
【図２】ベース本体の斜視図である。
【図３】上記ベース本体の平面図である。
【図４】上記ベース本体の側面図である。
【図５】平置き型の陳列台の斜視図である。
【図６】上記陳列台の斜視図である。
【図７】上記陳列台の平面図である。
【図８】上記陳列台の側面図である。
【図９】上記陳列台の底面図である。
【図１０】ＰＯＰカバーを回動させた状態を示す陳列台の平面図である。
【図１１】化粧皿収容体の斜視図である。
【図１２】ＰＯＰカバーの平面図である。
【図１３】上記立置き型の陳列台の斜視図である。
【図１４】上記陳列台の斜視図である。
【図１５】上記陳列台の正面図である。
【図１６】上記陳列台の側面図である。
【図１７】ベース本体、両陳列台等を組み立て方法を示す説明図である。
【図１８】上記ベース本体、両陳列台等を組み立て方法を示す説明図である。
【図１９】上記ベース本体、両陳列台等を組み立て方法を示す説明図である。
【図２０】上記ベース本体、両陳列台等を組み立て方法を示す説明図である。
【図２１】底敷き板の斜視図である。
【図２２】上記ベース本体、両陳列台等を組み立て方法を示す説明図である。
【図２３】従来例を示す斜視図である。
【図２４】従来例を示す斜視図である。
【符号の説明】
１  ベース本体
２，３  陳列台
１５  台部
【図１】
2004194781.tif 000003
【図２】
2004194781.tif 000004
【図３】
2004194781.tif 000005
【図４】
2004194781.tif 000006
【図５】
2004194781.tif 000007
【図６】
2004194781.tif 000008
【図７】
2004194781.tif 000009
【図８】
2004194781.tif 000010
【図９】
2004194781.tif 000011
【図１０】
2004194781.tif 000012
【図１１】
2004194781.tif 000013
【図１２】
2004194781.tif 000014
【図１３】
2004194781.tif 000015
【図１４】
2004194781.tif 000016
【図１５】
2004194781.tif 000017
【図１６】
2004194781.tif 000018
【図１７】
2004194781.tif 000019
【図１８】
2004194781.tif 000020
【図１９】
2004194781.tif 000021
【図２０】
2004194781.tif 000022
【図２１】
2004194781.tif 000023
【図２２】
2004194781.tif 000024
【図２３】
2004194781.tif 000025
【図２４】
2004194781.tif 000026